【手続補正書】
【提出日】平成26年12月22日(2014.12.22)
【手続補正１】
【補正対象書類名】特許請求の範囲
【補正対象項目名】全文
【補正方法】変更
【補正の内容】
【特許請求の範囲】
【請求項１】
海洋環境において炭化水素回収作業を実施する海底産出システムであって、前記海洋環境は、海面及び海底を有する海域を含み、
第１の端部及び反対側の第２の端部を備え、前記第１の端部が前記海底に近接して位置するベースを有する細長いトラスフレームと、
前記トラスフレームの前記第２の端部に設けられ、浮き掘削ユニットを受け取ってこれに解除可能に取り付けられるよう構成され、海面よりも下での浮遊氷床との接触を回避するのに十分な距離に位置するランディングデッキと、
前記トラスフレームの前記ベースに近接して前記海底に位置する１つ又は２つ以上の流体貯蔵セルであって、前記１つ又は２つ以上の流体貯蔵セルのうちの少なくとも１つが炭化水素流体を受け取る炭化水素流体貯蔵セルと、
前記海底の上方に且つ前記トラスフレームの前記第２の端部に近接して位置し、前記少なくとも１つの炭化水素流体貯蔵セルと流体連通状態にある海底産出作業機器と、を備えている、
ことを特徴とする海底産出システム。
【請求項２】
前記海底産出作業機器は、（ｉ）発電機器、（ｉｉ）圧力ポンプ、（ｉｉｉ）制御弁、（ｉｖ）産出マニホルド、（ｖ）流体分離機器又は（ｖｉ）これらの組み合わせを備えている、
請求項１記載の海底産出システム。
【請求項３】
前記トラスフレーム上に設けられた複数個の坑口装置であって、各坑口装置が、前記海底から前記トラスフレーム中に延びる表面ケーシングを通って地下貯留層からの産出流体を受け取る坑口装置と、
産出流体を前記坑口装置から前記海底産出作業機器に送る産出フローラインと、を更に備えている、
請求項１記載の海底産出システム。
【請求項４】
炭化水素流体を前記少なくとも１つの炭化水素流体貯蔵セルから前記海面の輸送船に輸送する産出ライザを更に含み、前記産出ライザは、前記輸送船と選択的流体連通状態にある、
請求項１記載の海底産出システム。
【請求項５】
前記海底産出作業機器は、前記海底上に配置された複数個の坑口装置から産出流体を受け取り、前記海底産出システムは、産出流体を前記それぞれの海底坑口装置から前記トラスフレームの前記第２の端部に近接して位置する前記海底産出作業機器に輸送する産出フローラインを更に備えている、
請求項１記載の海底産出システム。
【請求項６】
前記トラスフレームは、全体として切頭形である、
請求項１記載の海底産出システム。
【請求項７】
前記トラスフレームは、前記第１の端部と前記第２の端部との間に実質的に一定の幅を有する、
請求項１記載の海底産出システム。
【請求項８】
前記１つ又は２つ以上の流体貯蔵セルを備えた重力ベース構造物を更に備えている、
請求項１記載の海底産出システム。
【請求項９】
前記トラスフレームの前記第１の端部は、重力ベースを有する、
請求項１記載の海底産出システム。
【請求項１０】
前記産トラスフレームを取り囲む複数本の係留ラインを更に含み、各係留ラインは、前記トラスフレームに連結された第１の端部及び前記海底に設けられたアンカに連結された第２の端部を有する、
請求項１記載の海底産出システム。
【請求項１１】
前記アンカの各々は、重力により前記海底上に保持されたおもり付きブロック又は前記海底に固定された複数本の杭打ちピラー若しくは吸引ピラーを備えているフレーム構造体を有する、
請求項１０記載の海底産出システム。
【請求項１２】
前記複数本の係留ラインの各々の前記第１の端部は、前記トラスフレームの前記第２の端部の近くで前記トラスフレームに連結されている、
請求項１０記載の海底産出システム。
【請求項１３】
前記トラスフレーム内に設けられた１つ又は２つ以上の浮力タンクを更に備えている、
請求項１記載の海底産出システム。
【請求項１４】
前記ランディングデッキは、前記海面よりも少なくとも約２０メートル（６６フィート）下に位置する、
請求項１３記載の海底産出システム。
【請求項１５】
前記トラスフレームは、関節連結構造体を構成し、前記関節連結構造体は、
前記海底から前記トラスフレームの前記第１の端部と前記第２の端部の中間に位置するピボット箇所まで上方に延びる実質的に剛性の下側区分と、
前記ピボット箇所から前記ランディングデッキまで上方に延びる応従性の上側区分とを有し、
前記応従性上側区分は、波のエネルギー及び海流に応答して前記下側区分に対して回動することができるようになっている、
請求項１記載の海底産出システム。
【請求項１６】
前記実質的に剛性の下側区分は、
前記トラスフレームに取り付けられた複数本の杭スリーブと、
前記実質的に剛性の下側区分と前記応従性上側区分の相対的回動運動を可能にするよう前記杭スリーブを貫通して延びる複数本の杭とを有する、
請求項１５記載の海底産出システム。
【請求項１７】
前記複数本の杭スリーブの各々は、前記下側区分に取り付けられ、
対応の前記杭の各々は、前記応従性上側区分に取り付けられている、
請求項１６記載の海底産出システム。
【請求項１８】
前記複数本の杭スリーブの各々は、前記応従性上側区分に取り付けられ、
対応の前記杭の各々は、前記下側区分に取り付けられている、
請求項１６記載の海底産出システム。
【請求項１９】
前記実質的に剛性の下側区分は、前記海底に設けられた重力ベースを有する、
請求項１６記載の海底産出システム。
【請求項２０】
前記掘削ユニットは、
前記海洋環境における作業を実施するプラットホームと、
前記海面の下で浮力調整及び安定性を提供するよう構成されたタワーと、
前記ランディングデッキに取り付け可能なベースと、を備えている、
請求項１記載の海底産出システム。
【請求項２１】
海洋環境において海底産出システム用のコンポーネントを設置する方法であって、前記海洋環境は海面及び海底を有する海域を含み、
前記海洋環境中に炭化水素回収作業のための場所を特定するステップと、
１つ又は２つ以上の炭化水素流体貯蔵セルを前記選択された場所で前記海底上に配置するステップと、
細長いトラスフレームを前記選択された場所に輸送するステップであって、前記トラスフレームは、第１の端部及び反対側の第２の端部を有するステップと、
前記トラスフレームを前記海洋環境内に設置して前記第１の端部が前記１つ又は２つ以上の炭化水素流体貯蔵セルに近接して前記海底上に配置されるようにするステップと、
海底産出作業機器を備えているフレーム構造体を輸送するステップと、
前記フレーム構造体を前記トラスフレームの前記第２の端部に近接して設置するステップと、
ランディングデッキを前記トラスフレームの前記第２の端部に設置するステップであって、ランディングデッキが、浮遊する氷シートとの接触を回避するのに十分な距離、水面から下方に位置するようにするステップと、
浮き掘削ユニットを前記選択された場所に輸送するステップと、
前記浮き掘削ユニットを前記トラスフレームの前記ランディングデッキに解除可能に取り付けるステップと、
炭化水素輸送ラインを連結して前記海底産出作業機器と前記１つ又は２つ以上の炭化水素流体貯蔵セルとを流体連通させるステップと、を備えている、
ことを特徴とする方法。
【請求項２２】
複数個の坑井を、前記海底を通って地下貯留層中に掘削するステップと、
各坑井のための複数個の坑口装置を前記トラスフレーム上に配置するステップであって、各坑口装置は、前記海底から前記トラスフレーム中に延びる表面ケーシングを通って地下貯留層からの産出流体を受け取るステップと、
産出流体をそれぞれの前記坑口装置から前記海底産出作業機器に送る産出フローラインを設置するステップと、を更に備えている、
請求項２１記載の方法。
【請求項２３】
複数個の坑井を、前記海底を通って地下貯留層中に掘削するステップと、
各坑井のための複数個の坑口装置を前記海底に配置するステップと、
産出流体をそれぞれの前記坑口装置から前記海底産出作業機器に送る産出フローラインを設置するステップを更に備えている、
請求項２１記載の方法。
【請求項２４】
前記トラスフレームは、関節連結構造体を構成し、前記関節連結構造体は、
前記海底から前記トラスフレームの前記第１の端部と前記第２の端部の中間に位置するピボット箇所まで上方に延びる実質的に剛性の下側区分と、
前記ピボット箇所から前記ランディングデッキに向って上方に延びる応従性の上側区分と、を備え、前記応従性上側区分は、波のエネルギー及び海流に応答して前記下側区分に対して側方に回動することができるようになっている、
請求項２１記載の方法。
【請求項２５】
前記海洋環境内の移動中の氷床を識別するステップと、
前記浮き掘削ユニットを前記トラスフレームの前記ランディングデッキから切り離すステップと、
前記浮き掘削ユニットを前記海洋環境中の新たな場所に一時的に移動させて前記移動中の氷床を回避するステップと、を更に備えている、
請求項２１記載の方法。
【請求項２６】
前記海洋環境内の移動中の氷床の予想最大深さを求めるステップと、
前記細長いトラスフレームを立設したときに前記ランディングデッキが前記最大深さよりも下に位置するよう前記細長いトラスフレームを寸法決めするステップと、を更に備えている、
請求項２１記載の方法。
【請求項２７】
海洋環境において浮き掘削ユニットを海洋の場所から移動させる方法であって、前記海洋環境は海面及び海底を有する海域を含み、
前記海洋環境内の移動中の氷床を識別するステップと、
前記掘削ユニットを海底産出タワーから切り離すステップであって、前記海底産出タワーは、
第１の端部及び反対側の第２の端部を備えた細長いトラスフレームを有し、前記第１の端部は、前記海底に近接して位置するベースを有し、
前記トラスフレームの前記第２の端部に設けられたランディングデッキを有し、前記ランディングデッキは、浮き掘削ユニットを受け取ってこれに解除可能に取り付けられるよう構成され、前記ランディングデッキは、前記海面よりも少なくとも２０メートル（６６フィート）下に位置し、
前記海底の上方に且つ前記トラスフレームの前記第２の端部に近接して位置する海底産出作業機器を有し、流体分離機器が前記海底上の少なくとも１つの炭化水素流体貯蔵セルと流体連通状態にあるステップと、
前記掘削ユニットを前記海洋環境内の新たな場所に一時的に再位置決めして前記移動中の氷床を回避するステップと、
前記掘削ユニットを前記氷床が前記海洋場所を通過した後に前記産出タワーの前記ランディングデッキに戻すステップと、を備えている、
ことを特徴とする方法。